(57)【要約】【課題】微生物検査袋内への検体や希釈液の投入作業性を向上させることができる微生物検査袋用スタンドを提供する。【解決手段】本発明による微生物検査袋用スタンド２０は、微生物検査袋１０が載置される載置台２１と、載置台２１から起立し、載置台２１に載置される微生物検査袋１０の一方の側縁１３を支持する第１袋支持具２２と、載置台２１から起立し、載置台２１に載置される微生物検査袋１０の他方の側縁１３を支持する第２袋支持具２３と、を備えている。第１袋支持具２２は、載置台２１に対して、第２袋支持具２３に向う方向に移動可能となっている。【選択図】図３
2015102511.tif 000002
【特許請求の範囲】
【請求項１】
一対の側縁を含む微生物検査袋を保持するための微生物検査袋用スタンドであって、
前記微生物検査袋が載置される載置台と、
前記載置台から起立し、当該載置台に載置される前記微生物検査袋の一方の前記側縁を支持する第１袋支持具と、
前記載置台から起立し、当該載置台に載置される前記微生物検査袋の他方の前記側縁を支持する第２袋支持具と、を備え、
前記第１袋支持具は、前記載置台に対して、前記第２袋支持具に向う方向に移動可能であることを特徴とする微生物検査袋用スタンド。
【請求項２】
前記載置台に受容溝が設けられ、
前記第１袋支持具の下縁に、前記受容溝に受容可能な突起部が設けられ、
前記突起部が前記受容溝に受容された際、前記第１袋支持具の移動が阻止されることを特徴とする請求項１に記載の微生物検査袋用スタンド。
【請求項３】
前記第２袋支持具は、前記載置台に対して、前記第１袋支持具に向う方向に移動可能であることを特徴とする請求項１または２に記載の微生物検査袋用スタンド。
【請求項４】
第１の面と前記第１の面とは反対側に設けられた第２の面とを含む微生物検査袋を保持するための微生物検査袋用スタンドであって、
前記微生物検査袋が載置される載置台と、
前記載置台から起立し、当該載置台に載置される前記微生物検査袋の前記第１の面を支持する第１支持面を有する第１袋支持具と、
前記載置台から起立し、当該載置台に載置される前記微生物検査袋の前記第２の面を支持する第２支持面を有する第２袋支持具と、
前記第１袋支持具の第１支持面および前記第２袋支持具の第２支持面に設けられ、前記載置台に載置される前記微生物検査袋に貼り付けられる粘着部材と、を備え、
前記第１袋支持具は、前記載置台に対して、前記第１支持面に沿う方向に移動可能であることを特徴とする微生物検査袋用スタンド。
【請求項５】
前記第２袋支持具は、前記載置台に対して、前記第２支持面に沿う方向に移動可能であることを特徴とする請求項４に記載の微生物検査袋用スタンド。
【請求項６】
第１の面と前記第１の面とは反対側に設けられた第２の面とを含む微生物検査袋を保持するための微生物検査袋用スタンドであって、
前記微生物検査袋が載置される載置台と、
前記載置台から起立し、当該載置台に載置される前記微生物検査袋の前記第１の面を支持する第１袋支持具と、
前記載置台から起立し、当該載置台に載置される前記微生物検査袋の前記第２の面を支持する第２袋支持具と、
前記第１袋支持具および前記第２袋支持具に設けられ、前記載置台に載置される前記微生物検査袋に貼り付けられる粘着部材と、を備え、
前記第１袋支持具と前記第２袋支持具との間隔は、前記載置台から上方に向って大きくなっており、
前記第１袋支持具は、弾力性を有し、当該第１袋支持具に設けられた前記粘着部材を前記第２袋支持具の側に変位するように弾性変形可能であることを特徴とする微生物検査袋用スタンド。
【請求項７】
前記第２袋支持具は、弾力性を有し、当該第２袋支持具に設けられた前記粘着部材を前記第１袋支持具の側に変位するように弾性変形可能であることを特徴とする請求項６に記載の微生物検査袋用スタンド。
【請求項８】
前記第１袋支持具は、前記載置台に載置される前記微生物検査袋の前記第１の面を支持する第１支持面を有し、
前記第２袋支持具は、前記載置台に載置される前記微生物検査袋の前記第２の面を支持する第２支持面を有し、
前記第１袋支持具の前記第１支持面と前記第２袋支持具の前記第２支持面は、前記載置台の法線方向に対して、互いに対称となるように傾斜していることを特徴とする請求項６または７に記載の微生物検査袋用スタンド。
【請求項９】
前記第１袋支持具は、前記載置台に載置される前記微生物検査袋の前記第１の面を支持する第１支持面を有し、
前記第２袋支持具は、前記載置台に載置される前記微生物検査袋の前記第２の面を支持する第２支持面を有し、
前記第１袋支持具の前記第１支持面と前記第２袋支持具の前記第２支持面は、前記載置台の法線方向に対して、同じ側に傾斜していることを特徴とする請求項６または７に記載の微生物検査袋用スタンド。
【請求項１０】
第１の面と前記第１の面とは反対側に設けられた第２の面とを含む微生物検査袋を保持するための微生物検査袋用スタンドであって、
前記微生物検査袋が載置される載置台と、
前記載置台から起立し、当該載置台に載置される前記微生物検査袋の前記第１の面を支持する第１袋支持具と、
前記載置台から起立し、当該載置台に載置される前記微生物検査袋の前記第２の面を支持する第２袋支持具と、
前記第１袋支持具および前記第２袋支持具に設けられ、前記載置台に載置される前記微生物検査袋に貼り付けられる粘着部材と、を備え、
前記第１袋支持具は、前記載置台側に設けられた袋支持具本体板と、前記袋支持具本体板より上方に設けられ、当該第１袋支持具の上縁と前記第２袋支持具の上縁との間隔を大きくするように当該袋支持具本体板に対して回動可能な回動板と、を有し、
前記第１袋支持具に設けられた前記粘着部材は、当該第１袋支持具の前記回転板に配置されていることを特徴とする微生物検査袋用スタンド。
【請求項１１】
前記第２袋支持具は、前記載置台側に設けられた袋支持具本体板と、前記袋支持具本体板より上方に設けられ、前記第１袋支持具の上縁と当該第２袋支持具の上縁との間隔を大きくするように当該袋支持具本体板に対して回動可能な回動板と、を有し、
前記第２袋支持具に設けられた前記粘着部材は、当該第２袋支持具の前記回転板に配置されていることを特徴とする請求項１０に記載の微生物検査袋用スタンド。
【発明の詳細な説明】
【技術分野】
【０００１】
本発明は、微生物検査袋を保持するための微生物検査袋用スタンドに関する。
【背景技術】
【０００２】
従来より、食品等の固形物に含まれる微生物を検査する際に試料を調製するために使用される微生物検査袋（ホモジナイズ袋）が知られている。
【０００３】
このような微生物検査袋を用いて微生物検査を行う場合、まず、生魚、生肉や野菜等の検体が、滅菌された生理食塩水等の希釈液とともに、予め滅菌されている微生物検査袋に、その上縁開口部（投入口）を介して投入される。続いて、微生物検査袋の上縁開口部を密封してホモジナイザ（ストマッカー）にセットし、検体を揉むようにして検体中の微生物を希釈液中に懸濁させ、検体が希釈液とともに均質化される。このことにより、微生物検査を行うための検液（試料）が調製される。その後、調製された検液の上澄みを、微生物検査袋の採取口を介してピペット等で採取し、採取された検液を用いて、微生物数の測定などの微生物検査が行われる。
【０００４】
微生物検査袋内に検体や希釈液を投入する際、微生物検査袋は、例えば特許文献１に示すようなスタンドの収容空間に収容されて、起立した状態で保持される。
【先行技術文献】
【特許文献】
【０００５】
【特許文献１】実用新案登録第３１６００５８号公報
【発明の概要】
【発明が解決しようとする課題】
【０００６】
しかしながら、特許文献１に示すスタンドに微生物検査袋を保持した場合、その上縁開口部は開かれずに閉じられた状態あるいはわずかに開かれた状態となり得る。このことにより、作業者は、微生物検査袋の上縁開口部を大きく開きながらその内部に検体や希釈液を投入する。このため、微生物検査袋内への検体や希釈液の投入作業性が低下し得るという問題がある。
【０００７】
本発明はこのような点を考慮してなされたものであり、微生物検査袋内への検体や希釈液の投入作業性を向上させることができる微生物検査袋用スタンドを提供することを目的とする。
【課題を解決するための手段】
【０００８】
本発明は、第１の解決手段として、一対の側縁を含む微生物検査袋を保持するための微生物検査袋用スタンドであって、前記微生物検査袋が載置される載置台と、前記載置台から起立し、当該載置台に載置される前記微生物検査袋の一方の前記側縁を支持する第１袋支持具と、前記載置台から起立し、当該載置台に載置される前記微生物検査袋の他方の前記側縁を支持する第２袋支持具と、を備え、前記第１袋支持具は、前記載置台に対して、前記第２袋支持具に向う方向に移動可能であることを特徴とする微生物検査袋用スタンドを提供する。
【０００９】
なお、上述した第１の解決手段による微生物検査袋用スタンドにおいて、前記載置台に受容溝が設けられ、前記第１袋支持具の下縁に、前記受容溝に受容可能な突起部が設けられ、前記突起部が前記受容溝に受容された際、前記第１袋支持具の移動が阻止される、ようにしてもよい。
【００１０】
また、上述した第１の解決手段による微生物検査袋用スタンドにおいて、前記第２袋支持具は、前記載置台に対して、前記第１袋支持具に向う方向に移動可能である、ようにしてもよい。
【００１１】
また、本発明は、第２の解決手段として、第１の面と前記第１の面とは反対側に設けられた第２の面とを含む微生物検査袋を保持するための微生物検査袋用スタンドであって、前記微生物検査袋が載置される載置台と、前記載置台から起立し、当該載置台に載置される前記微生物検査袋の前記第１の面を支持する第１支持面を有する第１袋支持具と、前記載置台から起立し、当該載置台に載置される前記微生物検査袋の前記第２の面を支持する第２支持面を有する第２袋支持具と、前記第１袋支持具の第１支持面および前記第２袋支持具の第２支持面に設けられ、前記載置台に載置される前記微生物検査袋に貼り付けられる粘着部材と、を備え、前記第１袋支持具は、前記載置台に対して、前記第１支持面に沿う方向に移動可能であることを特徴とする微生物検査袋用スタンドを提供する。
【００１２】
なお、上述した第２の解決手段による微生物検査袋用スタンドにおいて、前記第２袋支持具は、前記載置台に対して、前記第２支持面に沿う方向に移動可能である、ようにしてもよい。
【００１３】
また、本発明は、第３の解決手段として、第１の面と前記第１の面とは反対側に設けられた第２の面とを含む微生物検査袋を保持するための微生物検査袋用スタンドであって、前記微生物検査袋が載置される載置台と、前記載置台から起立し、当該載置台に載置される前記微生物検査袋の前記第１の面を支持する第１袋支持具と、前記載置台から起立し、当該載置台に載置される前記微生物検査袋の前記第２の面を支持する第２袋支持具と、前記第１袋支持具および前記第２袋支持具に設けられ、前記載置台に載置される前記微生物検査袋に貼り付けられる粘着部材と、を備え、前記第１袋支持具と前記第２袋支持具との間隔は、前記載置台から上方に向って大きくなっており、前記第１袋支持具は、弾力性を有し、当該第１袋支持具に設けられた前記粘着部材を前記第２袋支持具の側に変位するように弾性変形可能であることを特徴とする微生物検査袋用スタンドを提供する。
【００１４】
なお、上述した第３の解決手段による微生物検査袋用スタンドにおいて、前記第２袋支持具は、弾力性を有し、当該第２袋支持具に設けられた前記粘着部材を前記第１袋支持具の側に変位するように弾性変形可能である、ようにしてもよい。
【００１５】
また、上述した第３の解決手段による微生物検査袋用スタンドにおいて、前記第１袋支持具は、前記載置台に載置される前記微生物検査袋の前記第１の面を支持する第１支持面を有し、前記第２袋支持具は、前記載置台に載置される前記微生物検査袋の前記第２の面を支持する第２支持面を有し、前記第１袋支持具の前記第１支持面と前記第２袋支持具の前記第２支持面は、前記載置台の法線方向に対して、互いに対称となるように傾斜している、ようにしてもよい。
【００１６】
また、上述した第３の解決手段による微生物検査袋用スタンドにおいて、前記第１袋支持具は、前記載置台に載置される前記微生物検査袋の前記第１の面を支持する第１支持面を有し、前記第２袋支持具は、前記載置台に載置される前記微生物検査袋の前記第２の面を支持する第２支持面を有し、前記第１袋支持具の前記第１支持面と前記第２袋支持具の前記第２支持面は、前記載置台の法線方向に対して、同じ側に傾斜している、ようにしてもよい。
【００１７】
さらに、本発明は、第４の解決手段として、第１の面と前記第１の面とは反対側に設けられた第２の面とを含む微生物検査袋を保持するための微生物検査袋用スタンドであって、前記微生物検査袋が載置される載置台と、前記載置台から起立し、当該載置台に載置される前記微生物検査袋の前記第１の面を支持する第１袋支持具と、前記載置台から起立し、当該載置台に載置される前記微生物検査袋の前記第２の面を支持する第２袋支持具と、前記第１袋支持具および前記第２袋支持具に設けられ、前記載置台に載置される前記微生物検査袋に貼り付けられる粘着部材と、を備え、前記第１袋支持具は、前記載置台側に設けられた袋支持具本体板と、前記袋支持具本体板より上方に設けられ、当該第１袋支持具の上縁と前記第２袋支持具の上縁との間隔を大きくするように当該袋支持具本体板に対して回動可能な回動板と、を有し、前記第１袋支持具に設けられた前記粘着部材は、当該第１袋支持具の前記回転板に配置されていることを特徴とする微生物検査袋用スタンドを提供する。
【００１８】
なお、上述した第４の解決手段による微生物検査袋用スタンドにおいて、前記第２袋支持具は、前記載置台側に設けられた袋支持具本体板と、前記袋支持具本体板より上方に設けられ、前記第１袋支持具の上縁と当該第２袋支持具の上縁との間隔を大きくするように当該袋支持具本体板に対して回動可能な回動板と、を有し、前記第２袋支持具に設けられた前記粘着部材は、当該第２袋支持具の前記回転板に配置されている、ようにしてもよい。
【発明の効果】
【００１９】
本発明によれば、微生物検査袋内への検体や希釈液の投入作業性を向上させることができる。
【図面の簡単な説明】
【００２０】
【図１】図１は、本発明の実施の形態において、ホモジナイザの一例を示す概略図である。
【図２】図２は、図１のホモジナイザで使用される微生物検査袋の一例を示す図である。
【図３】図３は、本発明の第１の実施の形態における微生物検査袋用スタンドを示す概略斜視図である。
【図４】図４は、図３の微生物検査袋用スタンドの詳細を示す斜視図である。
【図５】図５は、図４の微生物検査袋用スタンドの下面図である。
【図６】図６は、図４のＡ−Ａ線断面図である。
【図７】図７は、図６のＢ−Ｂ線断面図である。
【図８】図８は、本発明の第２の実施の形態における微生物検査袋用スタンドを示す概略斜視図である。
【図９】図９は、図８の微生物検査袋用スタンドを示す上面図である。
【図１０】図１０は、本発明の第３の実施の形態における微生物検査袋用スタンドを示す概略斜視図である。
【図１１】図１１は、微生物検査袋の上縁開口部が開いた状態における図１０の微生物検査袋用スタンドを示す側面図である。
【図１２】図１２は、図１１の変形例を示す側面図である。
【図１３】図１３は、本発明の第４の実施の形態における微生物検査袋用スタンドを示す概略斜視図である。
【図１４】図１４は、微生物検査袋の上縁開口部が開いた状態における図１３の微生物検査袋用スタンドを示す側面図である。
【発明を実施するための形態】
【００２１】
以下、図面を参照して本発明の実施の形態について説明する。なお、本明細書に添付する図面においては、図示と理解のしやすさの便宜上、適宜縮尺及び縦横の寸法比等を、実物のそれらから変更し誇張してある。
【００２２】
また、本明細書において用いる、形状や幾何学的条件並びにそれらの程度を特定する、例えば、「平行」、「直交」、「垂直」等の用語や寸法等については、厳密な意味に縛られることなく、同様の機能を期待し得る程度の範囲を含めて解釈することとする。
【００２３】
（第１の実施の形態）
図１乃至図７を用いて、本実施の形態における微生物検査袋用スタンド２０について説明する。ここで、微生物検査袋（ホモジナイズ袋）は、食品等の固形物（検体）に含まれる微生物を検査する際に、ホモジナイザを用いて検体と希釈液とから当該検体に含まれる微生物を検査するための試料（検液）を調製するために使用されるものである。微生物検査袋用スタンドは、微生物検査袋内に検体と希釈液とを投入する際にその投入作業性を向上させるために、微生物検査袋を保持するためのものである。
【００２４】
まず、ホモジナイザ（ストマッカー）１について説明する。図１に示すようにホモジナイザ１は、前側開口部２ａを有する筐体２と、筐体２の内部に設けられた収容部３と、収容部３に設けられた一対のパドル（押圧部材）４と、を備えている。このうち、収容部３には、前側開口部２ａから、検体および希釈液が封入された微生物検査袋１０が挿入されて、当該微生物検査袋１０が収容部３に収容されるようになっている。一対のパドル４は、前後方向に個別に移動自在に構成されており、これら一対のパドル４が前後方向に往復移動することにより、収容部３に収容された微生物検査袋１０が押圧される。また、パドル４の後方には、パドル４を駆動する駆動部（図示せず）が設けられている。
【００２５】
筐体２の前部には蓋５が設けられており、蓋５を開けることにより、微生物検査袋１０を、前側開口部２ａを介して収容部３に挿入し、または収容部３から前側開口部２ａを介して取り出すようになっている。パドル４を駆動してホモジナイズする際には、蓋５は閉められ、閉められた蓋５と筐体２とによって微生物検査袋１０が保持される。微生物検査袋１０は、パドル４により押圧される際には蓋５によって支持されるようになっている。
【００２６】
次に、微生物検査袋１０について説明する。図２に示すように、微生物検査袋１０は、表面（第１の面）１１と、表面とは反対側に設けられた裏面（第２の面）１２と、一対の側縁１３、１３と、を含んでいる。具体的には、微生物検査袋１０は、表面１１の側の樹脂フィルム１０ａと裏面１２の側の樹脂フィルム１０ｂによって形成されており、微生物検査袋１０の側縁１３、１３と下縁１４とがヒートシールされている。上縁１５はヒートシールされることなく上縁開口部１６が形成されており、この上縁開口部１６を介して検体と希釈液が微生物検査袋１０内に投入される。なお、樹脂フィルム１０ａ、１０ｂの材料としては、例えば、強化ポリエチレンを用いることが好適である。また、微生物検査袋１０は、フィルタ部材１７により区画された２つの内部空間を有していてもよい。この場合、例えば、一方の内部空間に検体と希釈液が投入され、ホモジナイズされて調製された検液を他方の内部空間から採取することができ、採取する検液に検体の破片等が混入することを防止できる。
【００２７】
ここで、本実施の形態における微生物検査袋１０は、上述した形態に限られることはない。例えば、一対の側縁のうちの一方の側縁のみがヒートシールされ、他方の側縁がヒートシールされていない微生物検査袋であってもよい。このような微生物検査袋は、例えば、１枚の樹脂フィルムを折り曲げるようにして、互いに重なる２辺でヒートシールすることにより形成することができる。この場合、下縁１４はヒートシールされる。このことから、ヒートシールされていない側縁とは、下縁１４の両端部のうちヒートシールされた側縁１３の側とは反対側の端部から、当該下縁１４に垂直に上縁１５に向う部分とすることができる。また、例えば、一対の側縁１３、１３がいずれもヒートシールされていない微生物検査袋であってもよい。このような微生物検査袋１０は、例えば、筒状に成型された樹脂フィルムを用いることにより形成することができる。この場合、筒状の樹脂フィルムの一対の開口縁部のうちの一方をヒートシールすることにより、下縁１４がヒートシールされた微生物検査袋を得ることができる。当該微生物検査袋の一対の側縁とは、下縁１４の両端部から、当該下縁１４に垂直に上縁１５に向う部分とすることができる。
【００２８】
微生物検査袋１０には、調製された検液を採取する際にピペットが挿入される採取口１８が設けられる。この採取口１８は、予めピペットが挿入可能に形成された部材を樹脂フィルム１０ａまたは１０ｂにヒートシールして設けてもよく、あるいは、図２に示すように、検液を採取する際に切込み線１９に沿って樹脂フィルム１０ａまたは１０ｂの一部を切り込むことによって形成されるようにしてもよい。採取口１８は、検液を採取可能であれば微生物検査袋１０の任意の位置に配置され得るが、例えば、図２に示すように微生物検査袋１０の表面１１または裏面１２の中央部に形成されるようにすることができる。
【００２９】
次に、上述した微生物検査袋１０が保持される微生物検査袋用スタンド２０について説明する。
【００３０】
図３および図４に示すように、微生物検査袋用スタンド２０は、微生物検査袋１０が載置される載置台２１と、載置台２１から起立した一対の袋支持具（第１袋支持具２２および第２袋支持具２３）と、を備えている。第１袋支持具２２は、微生物検査袋１０の一方の側縁１３を支持し、第２袋支持具２３は、微生物検査袋１０の他方の側縁１３を支持する。一対の袋支持具２２、２３の間には、微生物検査袋１０が収容される収容空間２４が形成される。
【００３１】
各袋支持具２２、２３は、載置台２１に載置される微生物検査袋１０の表面１１を支持する表面側支持部分２５と、当該微生物検査袋１０の裏面１２を支持する裏面側支持部分２６と、をそれぞれ有しており、上面視において、略Ｕ字状に形成されている。また、袋支持具２２、２３は、載置台２１に載置される微生物検査袋１０の両側方に配置されている。このようにして、各袋支持具２２、２３は、微生物検査袋１０を両側方から挟み込むように配置されて、微生物検査袋１０の側縁１３において表面１１および裏面１２（言い換えると、表面１１および裏面１２のうちの側縁１３の側の部分）をそれぞれ支持するようになっている。なお、袋支持具２２、２３は、各々が微生物検査袋１０の側縁１３を支持可能であれば、上面視において、略Ｖ字状もしくは略Ｊ字状に形成されていてもよい。
【００３２】
各袋支持具２２、２３は、互いに向き合う方向に移動可能になっている。すなわち、第１袋支持具２２は、載置台２１に対して、第２袋支持具２３に向う方向に移動可能であり、第２袋支持具２３は、載置台２１に対して、第１袋支持具２２に向う方向に移動可能になっている。このことにより、第１袋支持具２２と第２袋支持具２３との間隔が可変になっている。
【００３３】
また、各袋支持具２２、２３の上縁２２ａ、２３ａは、載置台２１に載置される微生物検査袋１０の上縁開口部１６より下方に配置されることが好適である。すなわち、各袋支持具２２、２３の高さが、載置台２１に載置される微生物検査袋１０の高さより低いことが好適である。このことにより、検体と希釈液の投入が終了して微生物検査袋１０を微生物検査袋用スタンド２０から移動させる場合、微生物検査袋１０の上部を容易に把持することができ、作業性を向上させることができる。また、この場合、袋支持具２２、２３から、微生物検査袋１０の上縁開口部１６を介して内部に異物が混入することを防止することもできる。
【００３４】
各袋支持具２２、２３の材料としては、例えば、ステンレス鋼（ＳＵＳ）を用いることが好適である。
【００３５】
次に、袋支持具２２、２３の移動機構について説明する。
【００３６】
図４乃至図６に示されているように、載置台２１には、細長状に形成された載置台開口部３０が設けられている。当該載置台開口部３０の長手方向の両側に、一対の案内部材３１が設けられている。一対の案内部材３１は、図５および図６に示すように、載置台２１の下面に配置され、載置台開口部３０の長手方向に沿って延びている。
【００３７】
図４および図６に示すように、載置台２１の上面には、袋支持具２２、２３の移動を阻止する複数の移動阻止部３２が設けられている。移動阻止部３２は、載置台開口部３０の長手方向の両側において当該長手方向に沿って配列されている。このことにより、袋支持具２２、２３を複数の位置で停止させることを可能にしている。
【００３８】
各移動阻止部３２は、図７に示すように、載置台の上面に設けられた２つの載置台側突起部３３によって構成されている。２つの載置台側突起部３３の間に受容溝３４が形成され、この受容溝３４に後述する袋支持具側突起部３８が受容された際、袋支持具２２、２３の移動を阻止する。
【００３９】
図６に示すように、袋支持具２２、２３は、底板３５を有している。この底板３５には、載置台２１の載置台開口部３０を貫通して下方に延びる伸縮部材３６が取り付けられている。伸縮部材３６は、例えば、ゴムによって形成することが好適である。
【００４０】
伸縮部材３６の下端には、被案内部材３７が取り付けられている。被案内部材３７は、図５および図６に示すように、載置台２１の載置台開口部３０の長手方向とは直交する方向に延びるように細長状に形成され、袋支持具２２、２３を移動させる際、載置台２１の側の案内部材３１に案内されるようになっている。被案内部材３７は、袋支持板２２、２３を上方に引き上げた際に、載置台２１の下面に当接して、伸縮部材３６を伸長させるようになっている。また、図６および図７に示すように、袋支持具２２、２３の下縁（底板３５の下面）には、載置台２１の受容溝３４に受容可能な袋支持具側突起部３８が設けられている。
【００４１】
このように袋支持板２２、２３の移動機構が構成されていることにより、袋支持具２２、２３を上昇させることにより、袋支持具２２、２３を移動させることができる。また、袋支持具２２、２３を下降させることにより、受容溝３４に袋支持具側突起部３８を受容させて、袋支持具２２、２３を停止させることが可能となっている。
【００４２】
次に、このような構成からなる本実施の形態の作用について説明する。
【００４３】
微生物検査袋１０に検体と希釈液を投入する場合、まず、清浄な環境を形成するクリーンベンチ内において、微生物検査袋１０が微生物検査袋用スタンド２０に保持される。この場合、微生物検査袋１０が、一対の袋支持具２２、２３の間に形成された収容空間２４に収容され、載置台２１に載置される。この際、微生物検査袋１０の一方の側縁１３が第１袋支持具２２によって支持され、他方の側縁１３が第２袋支持具２３によって支持される。
【００４４】
続いて、袋支持具２２、２３を移動させる。
【００４５】
この場合、まず、一方の袋支持具（例えば、第１袋支持具２２）を把持して上昇させる。このことにより、伸縮部材３６が伸長して、袋支持具側突起部３８を載置台２１の側の受容溝３４から引き上げることができ、移動阻止部３２による移動が阻止されていた状態を解除することができる。
【００４６】
続いて、第１袋支持具２２を、第２袋支持具２３の側に向って所望の位置まで移動させる。この際、第１袋支持具２２の側の被案内部材３７が、載置台２１の側の案内部材３１によって案内される。このことにより、第１袋支持具２２を案内部材３１、すなわち載置台２１の載置台開口部３０の長手方向に沿って移動させることができる。
【００４７】
第１袋支持具２２が所望の位置に達した後、第１袋支持具２２を下降させて、伸縮部材３６を収縮させる。このことにより、袋支持具側突起部３８を下降させて、載置台２１の側の受容溝３４に受容させることができ、第１袋支持具２２を所望の位置で停止させることができる。
【００４８】
第１袋支持具２２を移動させた後、第２袋支持具２３を移動させる。この場合、第１袋支持具２２と同様な方法で移動させることができるため、ここでは説明は省略する。
【００４９】
このように袋支持具２２、２３を、微生物検査袋１０の側縁１３を支持しながら微生物検査袋１０の幅方向中央に向って移動させることができ、載置台２１上に載置された微生物検査袋１０の各側縁１３、１３が、微生物検査袋１０の幅方向中央に向って押圧される。このことにより、微生物検査袋１０の上縁１５を撓ませて、上縁開口部１６を開くことができる。
【００５０】
上縁開口部１６が開いた後、微生物検査袋１０内に、検体と希釈液とが投入される。この際、微生物検査袋１０の上縁開口部１６は開いた状態で維持されるため、検体と希釈液との投入作業性を向上させることができる。また、この際、微生物検査袋１０は、一対の袋支持具２２、２３によって支持されているため、微生物検査袋１０が倒れたり傾いたりして、微生物検査袋１０内の検体や希釈液がこぼれることを防止できる。
【００５１】
検体と希釈液とが投入された後、微生物検査袋１０の上部を把持して、微生物検査袋１０を微生物検査袋用スタンド２０からホモジナイザ１へ移動させる。この際、袋支持具２２、２３の上縁２２ａ、２３ａが、収容空間２４に収容されていた微生物検査袋１０の上縁開口部１６より下方に配置されているため、微生物検査袋１０の上部を容易に把持することができる。
【００５２】
その後、微生物検査袋１０がホモジナイザ１にセットされて、微生物検査袋１０内の検体と希釈液とから検液が調製される。
【００５３】
このように本実施の形態によれば、微生物検査袋１０を支持する一対の袋支持具２２、２３が、当該微生物検査袋１０の側縁１３、１３を支持しながら、一方の第１袋支持具２２が他方の第２袋支持具２３に向って移動するとともに、第２袋支持具２３が第１袋支持具２２に向って移動する。このことにより、袋支持具２２、２３を微生物検査袋１０の幅方向中央に向って移動させることができ、微生物検査袋１０の上縁開口部１６を開くことができる。このため、作業者は、微生物検査袋１０の上縁開口部１６を開いた状態に上縁１５を保持することを不要とすることができ、微生物検査袋１０内に検体と希釈液とを容易に投入することができる。この結果、微生物検査袋１０内への検体や希釈液の投入作業性を向上させることができる。
【００５４】
また、本実施の形態によれば、各袋支持具２２、２３は、微生物検査袋１０の側縁１３において表面１１および裏面１２をそれぞれ支持する。このことにより、微生物検査袋１０を安定して保持することができ、微生物検査袋１０内への検体や希釈液の投入作業性をより一層向上させることができる。
【００５５】
また、本実施の形態によれば、載置台２１に、袋支持具２２、２３の移動を阻止する移動阻止部３２が設けられている。このことにより、袋支持具２２、２３を移動させて微生物検査袋１０の上縁開口部１６を開いている間、微生物検査袋１０の樹脂フィルム１０ａ、１０ｂの反発力によって、袋支持具２２、２３が移動することを防止できる。このため、微生物検査袋１０の上縁開口部１６を開いた状態で維持することができ、検体や希釈液の投入作業性をより一層向上させることができる。
【００５６】
また、本実施の形態によれば、第２袋支持具２３が第１袋支持具２２に向う方向に移動可能になっている。このことにより、第２袋支持具２３を移動させることによっても微生物検査袋１０の上縁開口部１６を開くことができる。この場合、利便性を向上させることができ、微生物検査袋１０内への検体や希釈液の投入作業性をより一層向上させることができる。
【００５７】
なお、上述した本実施の形態においては、第１袋支持具２２および第２袋支持具２３がいずれも移動可能になっている例について説明した。しかしながら、このことに限られることはなく、第２袋支持具２３は載置台２１に対して固定されていてもよい。
【００５８】
（第２の実施の形態）
次に、図８および図９を用いて、本発明の第２の実施の形態における微生物検査袋用スタンドについて説明する。
【００５９】
図８および図９に示す第２の実施の形態においては、第１袋支持板が微生物検査袋の表面を支持し、第２袋支持板が微生物検査袋の裏面を支持し、各袋支持板が板面に沿う方向に移動可能である点が主に異なり、他の構成は、図１乃至図７に示す第１の実施の形態と略同一である。なお、図８および図９において、図１乃至図７に示す第１の実施の形態と同一部分には同一符号を付して詳細な説明は省略する。
【００６０】
図８および図９に示すように、載置台２１からは、第１袋支持板（第１袋支持具）４２および第２袋支持板（第２袋支持具）４３が起立している。このうち第１袋支持板４２は、載置台２１に載置される微生物検査袋１０の表面１１を支持する第１支持面４２ｂを有し、第２袋支持板４３は、載置台２１に載置される微生物検査袋１０の裏面１２を支持する第２支持面４３ｂを有している。第１袋支持板４２と第２袋支持板４３とは、互いに平行に配置され、板面の法線方向（板厚方向）からみたときに矩形状に形成されている。また、一対の袋支持板４２、４３の間には、微生物検査袋１０が収容される収容空間２４が形成される。ここで、板面とは、袋支持板を全体的かつ大局的に見た場合において袋支持板の平面方向と一致する面のことを指す。
【００６１】
各袋支持板４２、４３の上縁４２ａ、４３ａは、載置台２１に載置される微生物検査袋１０の上縁開口部１６より下方に配置されることが好適である。すなわち、各袋支持板４２、４３の高さが、載置台２１に載置される微生物検査袋１０の高さより低いことが好適である。このことにより、検体と希釈液の投入が終了して微生物検査袋１０を微生物検査袋用スタンド２０から移動させる場合、微生物検査袋１０の上部を容易に把持することができ、作業性を向上させることができる。また、この場合、袋支持板４２、４３から、微生物検査袋１０の上縁開口部１６を介して内部に異物が混入することを防止することもできる。
【００６２】
各袋支持板４２、４３の材料としては、例えば、ステンレス鋼を用いることが好適である。
【００６３】
第１袋支持板４２および第２袋支持板４３には、微生物検査袋１０に貼り付けられる粘着部材４４が設けられている。粘着部材４４は、載置台２１に載置された微生物検査袋１０に貼り付けられる。すなわち、第１袋支持板４２に設けられた粘着部材４４が、微生物検査袋１０の表面１１に貼り付けられ、第２袋支持板４３に設けられた粘着部材４４が、微生物検査袋１０の裏面１２に貼り付けられる。このような粘着部材４４の材料としては、例えば、ウレタンエラストマーを好適に用いることができる。
【００６４】
上述した第１袋支持板４２および第２袋支持板４３は、それぞれ移動可能になっている。すなわち、第１袋支持板４２は、載置台２１に対して、その板面（第１支持面４２ｂ）に沿う方向に移動可能であり、第２袋支持板４３は、載置台２１に対して、その板面（第２支持面４３ｂ）に沿う方向に移動可能になっている。本実施の形態においては、上述したように第１袋支持板４２と第２袋支持板４３とは互いに平行に配置されているため、第１袋支持板４２および第２袋支持板４３は、互いに平行に移動可能になっている。なお、各袋支持板４２、４３の移動機構としては、例えば、第１の実施の形態で述べた袋支持具２２、２３の移動機構と同様の構成とすることができる。
【００６５】
微生物検査袋１０に検体と希釈液を投入する場合、まず、微生物検査袋１０が微生物検査袋用スタンド２０に保持される。この場合、微生物検査袋１０が、一対の袋支持板４２、４３の間に形成された収容空間２４に収容され、載置台２１に載置される。この際、微生物検査袋１０は、一対の袋支持板４２、４３によって支持される。続いて、袋支持板４２、４３に設けられた粘着部材４４が、収容された微生物検査袋１０の表面１１および裏面１２に貼り付けられる。
【００６６】
続いて、袋支持板４２、４３を移動させる。
【００６７】
この場合、まず、一方の袋支持板（例えば、第１袋支持板４２）を、第１支持面４２ｂに沿う方向に、第２袋支持板４３の側に向って移動させ、第２袋支持板４３を、第２支持面４３ｂに沿う方向に第１袋支持板４２の側に向って移動させる。
【００６８】
このように第１袋支持板４２および第２袋支持板４３を移動させることにより、載置台２１上に載置された微生物検査袋１０の表面１１および裏面１２を、袋支持板４２、４３の移動方向でそれぞれ撓ませて、上縁開口部１６を開くことができる。
【００６９】
上縁開口部１６が開いた後、微生物検査袋１０内に、検体と希釈液とが投入される。この際、微生物検査袋１０の上縁開口部１６は開いた状態で維持されるため、検体と希釈液との投入作業性を向上させることができる。
【００７０】
このように本実施の形態によれば、第１袋支持板４２が、第１支持面４２ｂに沿う方向に移動するとともに、第２袋支持板４３が、第２支持面４３ｂに沿う方向に移動することができる。このことにより、微生物検査袋１０の上縁開口部１６を開くことができる。このため、作業者が微生物検査袋１０の上縁開口部１６を開いた状態に上縁１５を保持することを不要とすることができ、微生物検査袋１０内に検体と希釈液とを容易に投入することができる。この結果、微生物検査袋１０内への検体や希釈液の投入作業性を向上させることができる。
【００７１】
なお、上述した本実施の形態においては、第１袋支持板４２および第２袋支持板４３がいずれも移動可能になっている例について説明した。しかしながら、このことに限られることはなく、第２袋支持板４３は載置台２１に対して固定されていてもよい。
【００７２】
（第３の実施の形態）
次に、図１０及び図１１を用いて、本発明の第３の実施の形態における微生物検査袋用スタンドについて説明する。
【００７３】
図１０および図１１に示す第３の実施の形態においては、第１袋支持板と第２袋支持板との間隔が載置台から上方に向って大きくなり、第１袋支持板が弾力性を有して、粘着部材を第２袋支持板の側に変位するように弾性変形可能である点が主に異なり、他の構成は、図８および図９に示す第２の実施の形態と略同一である。なお、図１０および図１１において、図８および図９に示す第２の実施の形態と同一部分には同一符号を付して詳細な説明は省略する。
【００７４】
図１０および図１１に示すように、載置台２１からは、第１袋支持板５２および第２袋支持板５３が起立している。このうち第１袋支持板５２は、載置台２１に載置される微生物検査袋１０の表面１１を支持する第１支持面５２ｂを有し、第２袋支持板５３は、載置台２１に載置される微生物検査袋１０の裏面１２を支持する第２支持面５３ｂを有している。第１袋支持板５２と第２袋支持板５３とは、板面の法線方向（板厚方向）からみたときに矩形状に形成されている。また、一対の袋支持板５２、５３の間には、微生物検査袋１０が収容される収容空間２４が形成される。ここで、板面とは、袋支持板を全体的かつ大局的に見た場合において袋支持板の平面方向と一致する面のことを指す。
【００７５】
各袋支持板５２、５３の上縁５２ａ、５３ａは、載置台２１に載置される微生物検査袋１０の上縁開口部１６より下方に配置されることが好適である。すなわち、各袋支持板５２、５３の高さが、載置台２１に載置される微生物検査袋１０の高さより低いことが好適である。このことにより、検体と希釈液の投入が終了して微生物検査袋１０を微生物検査袋用スタンド２０から移動させる場合、微生物検査袋１０の上部を容易に把持することができ、作業性を向上させることができる。また、この場合、袋支持板５２、５３から、微生物検査袋１０の上縁開口部１６を介して内部に異物が混入することを防止することもできる。
【００７６】
第１袋支持板５２および第２袋支持板５３は、載置台２１に固定され、第１袋支持板５２と第２袋支持板５３との間隔が、載置台２１から上方に向って大きくなっている。より具体的には、第１袋支持板５２の板面（第１支持面５２ｂ）および第２袋支持板５３の板面（第２支持面５３ｂ）は、袋支持板５２、５３の板面に沿った方向から見た場合に、載置台２１の法線方向に対して互いに対象となるように傾斜している。このようにして、第１袋支持板５２と第２袋支持板５３との間隔が載置台２１から上方に向って徐々に大きくなるように、第１袋支持板５２と第２袋支持板５３とが形成されている。
【００７７】
第１袋支持板５２は、弾力性を有している。このことにより、第１袋支持板５２を、第２袋支持板５３の側に撓ませることができるようになっている。すなわち、第１袋支持板５２は、当該第１袋支持板５２に設けられた粘着部材４４を第２袋支持板５３の側に変位するように弾性変形可能になっている。
【００７８】
ここで、本実施の形態における第１袋支持板５２の材料としては、例えば、ステンレス鋼を用いることが好適である。この場合、例えば、第１袋支持板５２の厚さを１ｍｍ、高さを２３０ｍｍ、幅を９５ｍｍとすることが好適であり、このことにより第１袋支持板５２を好適に撓ませて弾性変形させることができる。なお、第２袋支持板５３を、第１袋支持板５２と同様の材料で同様の寸法で形成してもよい。この場合、第２袋支持板５３にも弾力性を付与することができ、第２袋支持板５３に設けられた粘着部材４４を第１袋支持板５２の側に変位するように弾性変形可能とすることができる。
【００７９】
第１袋支持板５２および第２袋支持板５３には、微生物検査袋１０に貼り付けられる粘着部材４４が設けられている。粘着部材４４は、載置台２１に載置された微生物検査袋１０に貼り付けられる。すなわち、第１袋支持板５２に設けられた粘着部材４４が、微生物検査袋１０の表面１１に貼り付けられ、第２袋支持板５３に設けられた粘着部材４４が、微生物検査袋１０の裏面１２に貼り付けられる。
【００８０】
微生物検査袋１０に検体と希釈液を投入する場合、まず、微生物検査袋１０が微生物検査袋用スタンド２０に保持される。この場合、微生物検査袋１０が、一対の袋支持板５２、５３の間に形成された収容空間２４に収容され、載置台２１に載置される。
【００８１】
続いて、第１袋支持板５２を第２袋支持板５３の側に撓ませる。このことにより、第１袋支持板５２に設けられた粘着部材４４を微生物検査袋１０の表面１１に貼り付けることができる。また、この際、第２袋支持板５３に設けられた粘着部材４４は第２袋支持板４２の側に変位して微生物検査袋１０の裏面１２に貼り付けられる。第２袋支持板５３が弾力性を有している場合には、第２袋支持板５３を第１袋支持板５２の側に撓ませることによって、第２袋支持板５３に設けられた粘着部材４４は第１袋支持板５２の側に変位して微生物検査袋１０の裏面１２に貼り付けられる。
【００８２】
その後、撓んでいた第１袋支持板５２を元の状態（撓んでいない状態）に戻すことにより、第１袋支持板５２と第２袋支持板５３との間隔が、上方に向って大きくなる。このため、微生物検査袋１０を、第１袋支持板５２と第２袋支持板５３の形状に倣わせることができ、微生物検査袋１０の上縁開口部１６を開くことができる。
【００８３】
上縁開口部１６が開いた後、微生物検査袋１０内に検体と希釈液とが投入される。この際、微生物検査袋１０の上縁開口部１６は開いた状態で維持されるため、検体と希釈液との投入作業性を向上させることができる。
【００８４】
このように本実施の形態によれば、第１袋支持板５２と第２袋支持板５３との間隔は、上方に向って大きくなっており、第１袋支持板５２は、弾力性を有し、第１袋支持板５２に設けられた粘着部材４４を第２袋支持板５３の側に変位するように弾性変形可能になっている。このことにより、第１袋支持板５２を第２袋支持板５３の側に撓ませて、第１袋支持板５２に設けられた粘着部材４４を、載置台２１に載置された微生物検査袋１０の表面１１に貼り付け、その後に第１袋支持板５２を元の状態に戻すことにより、微生物検査袋１０の上縁開口部１６を開くことができる。このため、作業者が微生物検査袋１０の上縁開口部１６を開いた状態に上縁１５を保持することを不要とすることができ、微生物検査袋１０内に検体と希釈液とを容易に投入することができる。この結果、微生物検査袋１０内への検体や希釈液の投入作業性を向上させることができる。
【００８５】
また、本実施の形態において、第２袋支持板５３にも弾力性を付与し、第２袋支持板５３に設けられた粘着部材４４を前記第１袋支持板５２の側に変位するように弾性変形可能とした場合、第１袋支持板５２ではなく第２袋支持板５３を第１袋支持板５２の側に撓ませて、第２袋支持板５３に設けられた粘着部材４４を微生物検査袋１０の裏面１２に貼り付けることができ、その後に第２袋支持板５３を元の状態に戻すことにより、微生物検査袋１０の上縁開口部１６を開くことができる。このため、微生物検査袋１０内への検体や希釈液の投入作業性をより一層向上させることができる。
【００８６】
なお、上述した本実施の形態においては、第１袋支持板５２の板面（第１支持面５２ｂ）および第２袋支持板５３の板面（第２支持面５３ｂ）は、載置台２１の法線方向に対して互いに対象となるように傾斜している例について説明した。しかしながらこのことに限られることはなく、例えば、図１２に示すように、第１袋支持板５２の板面および第２袋支持板５３の板面は、載置台２１の法線方向に対して同じ側に傾斜するようにしてもよい。この場合、微生物検査袋１０の上縁開口部１６を、作業者側に傾けることができ、微生物検査袋１０内への検体や希釈液の投入作業性をより一層向上させることができる。なお、図１２に示す形態においては、例えば、上側に配置された第１袋支持板５２に弾力性を付与し、下側に配置された第２袋支持板５３の下部が他の支持部材５４によって支持されて、第２袋支持板５３に弾力性が付与されていないことが好適である。
【００８７】
（第４の実施の形態）
次に、図１３および図１４を用いて、本発明の第４の実施の形態における微生物検査袋用スタンドについて説明する。
【００８８】
図１３および図１４に示す第４の実施の形態においては、第１袋支持板が、載置台側に設けられた袋支持具本体と、袋支持具本体より上方に設けられた回動可能な回動板と、を有している点が主に異なり、他の構成は、図８および図９に示す第２の実施の形態と略同一である。なお、図１３および図１４において、図８および図９に示す第２の実施の形態と同一部分には同一符号を付して詳細な説明は省略する。
【００８９】
図１３および図１４に示すように、第１袋支持具６２は、載置台２１の側に設けられた袋支持具本体板６４と、袋支持具本体板６４より上方に設けられ、袋支持具本体板６４に対して回動可能な回動板６５と、を有している。回動板６５が回動することにより、第１袋支持具６２の上縁６２ａと第２袋支持具６３の上縁６３ａとの間隔を大きくするようになっている。袋支持具本体板６４と回動板６５とは、例えば蝶番６６によって連結されていることが好適である。
【００９０】
粘着部材４４は、第１袋支持具６２と第２袋支持具６３とに設けられている。このうち第１袋支持具６２に設けられた粘着部材４４は、回動板６５に配置されている。
【００９１】
なお、第２袋支持具６３は、第１袋支持具６２と同様に、袋支持具本体板と、袋支持具本体板に対して回動可能な回動板と、を有していてもよい。この場合、第２袋支持具６３の回動板を回動させることによって、微生物検査袋１０の上縁開口部１６を開くことができる。また、この場合、第２袋支持具６３に設けられた粘着部材４４は、回動板に配置される。
【００９２】
各袋支持具６２、６３の上縁６２ａ、６３ａは、第１の実施の形態における袋支持具２２、２３と同様に、回動板６５が起立して上縁６２ａ、６３ａが最も高い位置にある状態においても、載置台２１に載置される微生物検査袋１０の上縁開口部１６より下方に配置されることが好適である。すなわち、各袋支持具６２、６３の高さが、載置台２１に載置される微生物検査袋１０の高さより低いことが好適である。また、各袋支持具６２、６３の材料としては、袋支持具２２、２３と同様の材料を用いることが好適である。
【００９３】
図１３および図１４に示す形態において、微生物検査袋用スタンド２０に微生物検査袋１０を保持した後、第１袋支持具６２の回動板６５を袋支持具本体板６４に対して回動させて、第１袋支持具６２の上縁６２ａを第２袋支持具６３の側に変位させる。このことにより、回動板６５に設けられた粘着部材４４が、微生物検査袋１０に貼り付けられる。その後、回動板６５を袋支持具本体板６４に対して反対方向に回動させ、第１袋支持具６２の上縁６２ａを第２袋支持具６３の側とは反対側に変位させる。このことにより、微生物検査袋１０の上縁開口部１６を開くことができる。
【００９４】
上縁開口部１６が開いた後、微生物検査袋１０内に検体と希釈液とが投入される。この際、微生物検査袋１０の上縁開口部１６は開いた状態で維持されるため、検体と希釈液との投入作業性を向上させることができる。
【００９５】
このように本実施の形態によれば、第１袋支持具６２の回動板６５が袋支持具本体板６４に対して回動可能になっている。このことにより、回動板６５を回動させて第１袋支持具６２の上縁６２ａを第２袋支持具６３の側に変位させ、回動板６５に設けられた粘着部材４４を、載置台２１に載置された微生物検査袋１０の表面１１に貼り付けることができる。その後、回動板６５を反対方向に回動させて第１袋支持具６２の上縁６２ａを第２袋支持具６３の側とは反対側に変位させ、微生物検査袋１０の上縁開口部１６を開くことができる。このため、作業者が微生物検査袋１０の上縁開口部１６を開いた状態に上縁１５を保持することを不要とすることができ、微生物検査袋１０内に検体と希釈液とを容易に投入することができる。この結果、微生物検査袋１０内への検体や希釈液の投入作業性を向上させることができる。
【００９６】
以上、本発明の実施の形態について詳細に説明してきたが、本発明による微生物検査袋用スタンドは、上述した実施の形態に何ら限定されるものではなく、本発明の趣旨を逸脱しない範囲において種々の変更が可能である。また、上述した実施の形態を、部分的に、適宜組み合わせることも可能である。
【符号の説明】
【００９７】
１０    微生物検査袋
１１    表面
１２    裏面
１３    側縁
１６    上縁開口部
２０    微生物検査袋用スタンド
２１    載置台
２２    第１袋支持具
２３    第２袋支持板
３２    移動阻止部
３４    受容溝
３８    袋支持具側突起部
４２    第１袋支持板
４２ｂ  第１支持面
４３    第２袋支持板
４３ｂ  第２支持面
４４    粘着部材
５２    第１袋支持板
５３    第２袋支持板
６２    第１袋支持具
６３    第２袋支持具
６４    袋支持具本体板
６５    回動板
【図１】
2015102511.tif 000003
【図２】
2015102511.tif 000004
【図３】
2015102511.tif 000005
【図４】
2015102511.tif 000006
【図５】
2015102511.tif 000007
【図６】
2015102511.tif 000008
【図７】
2015102511.tif 000009
【図８】
2015102511.tif 000010
【図９】
2015102511.tif 000011
【図１０】
2015102511.tif 000012
【図１１】
2015102511.tif 000013
【図１２】
2015102511.tif 000014
【図１３】
2015102511.tif 000015
【図１４】
2015102511.tif 000016